(57)【特許請求の範囲】
【請求項１】
カード用コネクタのハウジングに挿入されたカードの外部端子群に接触する端子群と、前記カードに帯電した静電気を放電させる前記接地部とが連結された前記端子群と前記接地部との一体品をフープ材に成形する工程と、
前記一体品を前記フープ材から打ち抜く工程と、
前記一体品を前記ハウジングにインサート成形する工程と、
前記インサート成形の後に、前記端子群と前記接地部とを連結する連結部を切除する工程とを行なうカード用コネクタの製造方法であって、
前記一体品が前記ハウジングに前記インサート成形された状態において、前記端子群を構成する複数の端子は、それらの半田付部を前記ハウジングのカード挿入口側に向けられた状態で、前記ハウジングに対するカードの挿入方向に対して直交する方向に配列されていて、前記接地部は、前記半田付部よりも前記カード挿入口の近くで、前記複数の端子の配列方向における前記ハウジングの両端間に亘って延びていて、前記連結部を介して前記端子群と一体に設けられていることを特徴とするカード用コネクタの製造方法。
【請求項２】
前記一体品をフープ材に成形する前記工程では、前記端子群を構成する端子の位置ずれを防止するために隣接する端子同士を連結する端子間連結部を成形し、
前記インサート成形の後に前記端子間連結部を切除する工程を行なうことを特徴とする請求項１記載のカード用コネクタの製造方法。
【請求項３】
前記端子間連結部を切除する前記工程では、前記ハウジングの前記端子間連結部に対応する位置に設けられた貫通孔を利用して、前記端子間連結部を切除することを特徴とする請求項２記載のカード用コネクタの製造方法。
【請求項４】
前記一体品をフープ材に成形する前記工程では、前記端子群を、前記フープ材に成形される枠部に前記接地部を介して連結することを特徴とする請求項１記載のカード用コネクタの製造方法。
【請求項５】
前記一体品をフープ材に成形する前記工程では、前記接地部を回路基板のグランドに接続するための接続部を、前記フープ材に前記接地部と一体成形することを特徴とする請求項１記載のカード用コネクタの製造方法。
【請求項６】
カードが挿入されるカード挿入空間を形成するハウジングと、
前記カード挿入空間内に露出した複数の端子からなり、前記ハウジングに挿入された前記カードの外部端子群が接触する端子群と、
前記カードに帯電した静電気を放電させる接地部とを備え、
前記複数の端子が、それらの半田付部を前記ハウジングのカード挿入口側に向けられ、前記ハウジングに対するカードの挿入方向に対して直交する方向に配列され、
前記接地部が、前記半田付部よりも前記カード挿入口の近くで、前記複数の端子の配列方向における前記ハウジングの両端間に亘って延びたカード用コネクタであって、
前記端子群と前記接地部とが連結された前記端子群と前記接地部との一体品をフープ材に成形する工程と、前記一体品を前記フープ材から打ち抜く工程と、前記一体品を前記ハウジングにインサート成形する工程と、前記インサート成形の後に、前記端子群と前記接地部とを連結する連結部を切除する工程が行われることによって、前記端子群および前記接地部の加工とこれら端子群と接地部の前記ハウジングへの組付けが実現され、
前記ハウジングは、端子群と接地部とを連結する連結部を切除する前記工程を行なうための作業空間を形成していることを特徴とするカード用コネクタ。
【請求項７】
前記端子群および前記接地部を加工して前記ハウジングに組付ける際に、前記一体品をフープ材に成形する前記工程では、前記端子群を構成する前記端子の位置ずれを防止するために隣接する端子同士を連結する端子間連結部を成形し、
前記インサート成形の後に前記端子間連結部を切除する工程を行なうとともに、
前記ハウジングに、前記端子間連結部を切除する前記工程を行なうための作業空間を設けたことを特徴とする請求項６記載のカード用コネクタ。
【請求項８】
前記作業空間が、前記端子間連結部に対応する位置に設けられる貫通孔からなることを特徴とする請求項７記載のカード用コネクタ。
【請求項９】
前記接地部に、この接地部を回路基板のグランドに接続するための接続部を一体に設けたことを特徴とする請求項６記載のカード用コネクタ。
【発明の詳細な説明】
【０００１】
【発明の属する技術分野】
本発明は、パソコンやデジタルカメラ等の電子機器に設けられ、その電子機器に内蔵された電子回路にメモリーカードの外部端子群を接続するためのカード用コネクタの製造方法およびその製造方法により製造されるカード用コネクタに関する。
【０００２】
【従来の技術】
パソコンやデジタルカメラ等の電子機器には、その電子機器に内蔵される電子回路にメモリーカード（以下「カード」という）の外部端子群を接続するためのカード用コネクタが設けられているものがある。このカード用コネクタは、カードが挿入されるカード挿入空間を形成するハウジングと、カード挿入空間内に露出し、挿入されたカードの外部端子群に接触する端子群とを備えている。
【０００３】
上記カードの外部端子群は、カードの挿入方向に対して直交する方向に並ぶ複数の端子から構成されており、上記ハウジング内の端子群は、カードの挿入が完了した状態でこのカードの外部端子群が接触するように設けられている。すなわち、カードの挿入が完了したときの外部端子群に対向する位置で、この外部端子を構成する複数の外部端子と同数で同方向に配列された複数の端子から構成されている。
【０００４】
このように構成されたカード用コネクタでは、カードがハウジングに挿入されると、このカードの外部端子群がハウジング内の端子群と接触し、これにより、カードが電子機器に内蔵された電子回路に接続され、カードに対する記録や再生を電子機器によって行なえる状態となる。
【０００５】
【発明が解決しようとする課題】
ところで、上述したカード用コネクタでは、カードをハウジングに挿入する際に、カードの挿入者あるいはカードに静電気が帯電していると、カードをハウジングに挿入したときに、カードからハウジング内の端子に静電気が放電され、電子機器に内蔵された電子回路を構成するＩＣ等が破壊される虞かある。
【０００６】
このため、従来のカード用コネクタには、ハウジングのカード挿入口付近にカードの挿入者やカードに帯電した静電気を放電させる接地部を設け、カードからハウジング内の端子に静電気が放電されることを防止するようにしたものがある。
【０００７】
しかし、この種のカード用コネクタを製造する際、上記接地部の加工およびハウジングへの組付けは、端子群の加工およびハウジングへの組付けと別工程で行なわれるので、接地部の加工作業およびハウジングへの組付作業が煩わしいという問題があった。
【０００８】
本発明は、上述の現状を考慮してなされたもので、第１の目的は、接地部の加工およびハウジングへの組付けを、端子群の加工およびハウジングへの組付けと同じ工程で行なうことができるカード用コネクタの製造方法を提供することにある。
【０００９】
第２の目的は、上記製造方法を円滑に行なうことができるカード用コネクタを提供することにある。
【００１０】
【課題を解決するための手段】
上述の第１の目的を達成するために、カード用コネクタのハウジングに挿入されたカードの外部端子群に接触する端子群と、前記カードに帯電した静電気を放電させる前記接地部とが連結された前記端子群と前記接地部との一体品をフープ材に成形する工程と、前記一体品を前記フープ材から打ち抜く工程と、前記一体品を前記ハウジングにインサート成形する工程と、前記インサート成形の後に、前記端子群と前記接地部とを連結する連結部を切除する工程とを行なうカード用コネクタの製造方法であって、前記一体品が前記ハウジングに前記インサート成形された状態において、前記端子群を構成する複数の端子は、それらの半田付部を前記ハウジングのカード挿入口側に向けられた状態で、前記ハウジングに対するカードの挿入方向に対して直交する方向に配列されていて、前記接地部は、前記半田付部よりも前記カード挿入口の近くで、前記複数の端子の配列方向における前記ハウジングの両端間に亘って延びていて、前記連結部を介して前記端子群と一体に設けられていることを特徴とする。
【００１１】
このように構成した発明では、端子群の半田付部側に接地部を連結して端子群と接地部の一体品を成形し、この一体品をハウジングにインサート成形した後に、端子群と接地部とを連結する連結部を切除するようにした。これにより、接地部の加工およびハウジングへの組付けを、端子群と同じ工程で行なうことができる。
【００１２】
また、上記カード用コネクタの製造方法の発明において、前記一体品をフープ材に成形する前記工程では、前記端子群を構成する端子の位置ずれを防止するために隣接する端子同士を連結する端子間連結部を成形し、前記インサート成形の後に、前記端子間連結部を切除する工程を行なうようにしてもよい。
【００１３】
このように構成した発明では、端子の位置を端子間連結部によって正確に位置決めした状態で、ハウジングにインサート成形することができる。
【００１４】
また、上記カード用コネクタの製造方法の発明において、前記端子間連結部を切除する前記工程では、前記ハウジングの前記端子間連結部に対応する位置に設けられた貫通孔を利用して、前記端子間連結部を切除するようにしてよい。
【００１５】
このように構成した発明では、端子間連結部を切除する際に、端子間連結部に対するポンチ等の工具の位置決めを容易に行なうことができる。
【００１６】
また、上記カード用コネクタの製造方法の発明において、前記一体品をフープ材に成形する前記工程では、前記端子群を、前記フープ材に成形される枠部に前記接地部を介して連結するようにしてもよい。
【００１７】
このように構成したカード用コネクタの製造方法の発明では、接地部が端子群を枠部に連結するための連結部として機能するので、端子群をハウジングにインサート成形した後の、枠部と端子群との切断個所が少なく済む。
【００１８】
また、上記カード用コネクタの製造方法の発明において、前記一体品をフープ材に成形する前記工程では、前記接地部を回路基板のグランドに接続するための接続部を、前記フープ材に前記接地部と一体成形するようにしてもよい。
【００１９】
このように構成したカード用コネクタの製造方法の発明では、接地部と接続部を同じ工程で加工しハウジングに組付けることができる。
【００２０】
また、第２の目的を達成するために、本発明のカード用コネクタは、カードが挿入されるカード挿入空間を形成するハウジングと、前記カード挿入空間内に露出した複数の端子からなり、前記ハウジングに挿入された前記カードの外部端子群が接触する端子群と、前記カードに帯電した静電気を放電させる接地部とを備え、前記複数の端子が、それらの半田付部を前記ハウジングのカード挿入口側に向けられ、前記ハウジングに対するカードの挿入方向に対して直交する方向に配列され、前記接地部が、前記半田付部よりも前記カード挿入口の近くで、前記複数の端子の配列方向における前記ハウジングの両端間に亘って延びたカード用コネクタであって、前記端子群と前記接地部とが連結された前記端子群と前記接地部との一体品をフープ材に成形する工程と、前記一体品を前記フープ材から打ち抜く工程と、前記一体品を前記ハウジングにインサート成形する工程と、前記インサート成形の後に、前記端子群と前記接地部とを連結する連結部を切除する工程が行われることによって、前記端子群および前記接地部の加工とこれら端子群と接地部の前記ハウジングへの組付けが実現され、前記ハウジングは、端子群と接地部とを連結する連結部を切除する前記工程を行なうための作業空間を形成していることを特徴とする。
【００２１】
このように構成したカード用コネクタの発明では、端子群と接地部との一体品をハウジングにインサート成形した後、端子群と接地部とを連結する連結部を切除する際に、ハウジングの作業空間において連結部の切除作業を行なうことができるので、連結部の切除作業を円滑に行なうことができる。
【００２２】
また、上記カード用コネクタの発明において、前記端子群および前記接地部を加工して前記ハウジングに組付ける際に、前記一体品をフープ材に成形する前記工程では、前記端子群を構成する前記端子の位置ずれを防止するために隣接する端子同士を連結する端子間連結部を成形し、前記インサート成形の後に前記端子間連結部を切除する工程を行なうとともに、前記ハウジングに、前記端子間連結部を切除する前記工程を行なうための作業空間を設けるようにしてもよい。
【００２３】
このように構成したカード用コネクタの発明では、端子群と接地部との一体品をハウジングにインサート成形した後、端子間連結部を切除する際に、ハウジングの作業空間において端子間連結部の切除作業を行なうことができるので、端子間連結部の切除作業を円滑に行なうことができる。
【００２４】
また、上記カード用コネクタの発明において、前記作業空間が、前記端子間連結部に対応する位置に設けられる貫通孔からなるようにしてもよい。
。
【００２５】
このように構成したカード用コネクタの発明では、端子間連結部を切除する際に、端子間連結部に対するポンチ等の工具の位置決めを容易に行なうことができる。
【００２６】
また、上記カード用コネクタの発明において、前記接地部に、この接地部を回路基板のグランドに接続するための接続部を一体に設けるようにしてよい。
【００２７】
このように構成したカード用コネクタの発明では、接続部と接地部とをフープ材に一体成形することができる。
【００２８】
【発明の実施の形態】
以下に、本発明のカード用コネクタの製造方法およびこの製造方法により製造されるカード用コネクタの一実施形態を図に基づいて説明する。
【００２９】
図１は本発明のカード用コネクタの一実施形態を示す平面図、図２は図１に示す実施形態に備えられる第１端子群、第２端子群、接地部、接続部および検出スイッチを加工してハウジングに組み付ける際の作業工程を示すフローチャート、図３は図２に示す作業工程において第１端子群、第２端子群、接地部、接続部およびスイッチの一体品をフープ材から打ち抜いたものを示す平面図、図４は図３に示す一体品をハウジングにインサート成形したものを示す平面図である。
【００３０】
はじめに、本発明のカード用コネクタの一実施形態の構成を図１を用いて説明する。
【００３１】
本発明のカード用コネクタの一実施形態は、図１に示すカード用コネクタ７である。このカード用コネクタ７は、パソコンやデタルカメラ等の電子機器に設けられ、その電子機器に内蔵された電子回路にカード（メモリカード）の外部端子群を接続するためのものである。
【００３２】
図１において、符号１は、カードが挿入されるカード挿入空間を形成するハウジングである。このハウジング１に挿入されるカードは、図示しないが、寸法の異なる２種類の第１カードと第２カードである。第１カードは、第２カードよりも幅広、肉薄に設定されており、カードの挿入方向Ｓにおいて第２カードよりも短い寸法に設定されている。
【００３３】
同図１において、符号４０は、カードのカード挿入空間内に露出し、第１カードの外部端子群と接触する第１端子群であり、符号５０は、第２カードの外部端子群に接触する第２端子群である。
【００３４】
第１端子群４０は、第１カードの挿入が完了した状態で、この第１カードの外部端子群が接触するように設けてあり、第２端子群５０に対してカード挿入口６側に位置している。この第１端子群４０は、第１カードの挿入が完了したときの外部端子群に対向する位置で、この外部端子群を構成する複数の外部端子と同数で同方向に配列された複数の第１端子４１からなる。これらの第１端子４１は、カードの挿入方向Ｓに対して直交する方向に、例えば９本配列されている。各第１端子４１は、その一端に第１カードの外部端子の接点が接触する接点４１ａを有し、他端に図示しない回路基板に半田付けされる半田付部４１ｂを有する。また、各第１端子４１は、その接点４１ａがカード挿入空間のほぼ中央に位置し、その半田付部４１ｂがカード挿入口６側を向くように設けられている。
【００３５】
第２端子群５０は、第２カードの挿入が完了した状態で、この第２カードの外部端子が接触するように設けてあり、第２カードの挿入が完了したときの外部端子群に対応する位置で、この外部端子群を構成する複数の外部端子と同数で同方向に配列された複数の第２端子５１からなる。これらの第２端子５１は、カード挿入方向Ｓに対して直交する方向に、例えば１０本配列されている。各第２端子５１は、その一端に第２カードの外部端子の接点が接触する接点５１ａを有し、他端に図示しない回路基板に半田付けされる半田付部５１ｂを有する。各第２端子５１の半田付部５１ｂは、ハウジング１のカード挿入口６とは反対側の端部から突出した状態で、図示しない回路基板に半田付される。
【００３６】
また、カード挿入口６付近には、第１，第２カードの挿入者あるいは第１，第２カードに帯電した静電気を放電させる接地部６０を設けてある。この接地部６０には、この接地部６０を図示しないグランドに接続する接続部６１を一体に設けてある。
【００３７】
また、ハウジング１には、第１，第２カードの挿入・排出の際に、第１，第２カードの後端を押し込むことにより、第１，第２カードのハウジング１に対するロック・アンロックを切り換えるプッシュプッシュ機構が設けてある。このプッシュプッシュ機構は、挿入された第１，第２カードと係合し、第１，第２カードが押し込まれたときに第１，第２カードとともにスライドするスライダ１１と、このスライダ１１が第１または第２カードとともに押し込まれたときに、このスライダ１１のロック・アンロックを切り換えるめのハート型カム溝１０などから構成してある。
【００３８】
上記スライダ１１は、カード挿入空間内の中央付近に位置し第１カードの前端が当接する第１カード当接部１１ｅと、スライダ１１の両側部に設けられスライダ１１に対する第２カードの移動をガイドする第２カードガイド部１１ａ，１１ｂと、カード挿入空間の最奥部付近に位置し第２カードの前端が当接する第２カード当接部１１ｃ，１１ｄとを有する。また、このスライダ１１の第１カード当接部１１ｅ付近には、第１カードの挿入を検出する検出スイッチ３０を設けてある。
【００３９】
また、ハウジング１には、第１カードよりも肉厚な第２カードがカード挿入空間に挿入されたときに、この第２カードと第１端子群との接触を防止する機構を設けてある。この機構では、第２カードをカード挿入空間内に挿入したときに、押圧板２０，２１が回動し、これら押圧板２０，２１により第１端子群４０が押圧されて第２カードに接触しない位置まで撓むようになっている。
【００４０】
なお、カード用コネクタ７は、後述するカード用コネクタの製造方法により製造されるものである。この製造方法によりカード用コネクタ７が製造される際、第１端子群４０と接地部６０は、図３に示すように、第１端子群４０の半田付部４１ｂ側に接地部６０が連結された状態に成形される。また、接地部６０と接続部６１が一体成形される。また、枠部７１を介して第１端子群４０、第２端子群５０、接地部６０、接続部６１および検出スイッチ３０が一体品７０として成形される。そして、この一体品７０がハウジング１にインサート成形された後に、第１端子群４０と接地部６０との連結部７２の切除作業が行なわれる。
【００４１】
このため、図１に示すように、ハウジング１の上部カバー２には、この上部カバー２とカード挿入口６との間に上記連結部７２の切除作業を行なうための作業空間５を形成する切欠き２ｂを設けてある。
【００４２】
また、上記一体品７０を成形する際には、図３に示すように、各端子４１の位置ずれを防止するために、隣接する端子４１同士を連結する端子間連結部７３が成形される。そして、一体品７０がハウジング１にインサート成形された後に、上記端子間連結部７３の切除作業が行なわれる。
【００４３】
このため、図１に示すように、ハウジング１の上部カバー２には、各端子間連結部７３の切除作業を行なうための作業空間、すなわち各端子間連結部７３に対応する各位置に、端子間連結部７３をポンチ等の工具で打ち抜く際にその工具を挿入するための貫通孔２ａを設けてある。
【００４４】
次に、上述のように構成したカード用コネクタの製造方法を図２〜４を用いて説明する。
【００４５】
第１端子群４０、第２端子群５０、接地部６０、接続部６１および検出スイッチ３０は図２に示す作業工程Ｓ１〜Ｓ６にしたがって加工されハウジング１に組み付けられる。
【００４６】
すなわち、はじめに第１端子群４０、第２端子群５０、接地部６０、接続部６１および検出スイッチ３０の一体品７０をフープ材にプリント成形し（工程Ｓ１）、次にフープ材から一体品７０を打ち抜く（工程Ｓ２）。
【００４７】
フープ材から打ち抜かれた一体品７０は、図３に示すものである。
【００４８】
この一体品７０は、第１端子群４０と接地部６０とを各端子４１の半田付部４１ｂ側で連結部７２を介して連結するとともに接続部６１を接地部６０に連結したものと、第２端子群５０を構成するすべての第２端子５１を桟部８２で連結したものと、検出スイッチ３０とを枠部７１を介して一体に成形したものである。この枠部７１は、第１端子群４０、第２端子群５０、接地部６０、接続部６１および検出スイッチ３０を囲むように成形してあり、第１端子群４０および接地部６０と第１端子群連結部７４〜７８を介して連結してあり、第２端子群５０と第２端子群連結部８３，８４を介して連結してあり、検出スイッチ３０とスイッチ連結部７９〜８１を介して連結してある。
【００４９】
また、この一体品７０では、第１端子群４０の各端子４１の位置ずれを防止するために、隣接する端子４１同士を端子間連結部７３を介して連結してある。なお、図３に示す検出スイッチ３０は、フープ材から打ち抜かれた状態のもの（破線部）を直角に折り曲げて、ハウジング１に組み付けられる姿勢にしたものを示している。
【００５０】
次に、一体品７０を、図４に示すようにハウジング１にインサート成形する（工程Ｓ３）。このとき、上部カバー２に設けられた各貫通孔２ａの延長線上に、隣接する第１端子４１同士を連結する各端子間連結部７３が配置される。また、第１端子群４０と接地部６０とを連結する各連結部７２が、上部カバー２の切欠き２ｂにより形成される作業空間５内に配置される。
【００５１】
次に、第１端子群４０および接地部６０を枠部７１に連結する第１端子群連結部７４〜７８と、接続部６１と枠部７１との連結個所、第２端子群５０を枠部７１に連結する第２端子群連結部８３，８４と、検出スイッチ３０を枠部７１に連結するスイッチ連結部７９〜８１とを切断し、ハウジング１にインサート成形された一体品７０から枠部７１を切離す（工程Ｓ４）。
【００５２】
次に、各半田付部４１ｂと接地部６０とを連結している各連結部７２を切除し（工程Ｓ５）、上部カバー２の各貫通孔２ａにポンチ等を挿通して各端子間連結部７３を打ち抜き（工程Ｓ６）、また、第２端子群５０を連結する桟部８２を切除する。これにより、第１端子群４０、第２端子群５０、接地部６０および検出スイッチ３０のハウジング１への組付けが完了する。
【００５３】
そして、第１端子群４０、第２端子群５０、接地部６０および検出スイッチ３０以外の部品、すなわちスライダ１１、押圧板２０，２１などをハウジング１に組み付けて、上述した図１に示すカード用コネクタ７が完成する。
【００５４】
上記本発明のカード用コネクタの製造方法の一実施形態では、次の効果が得られる。
【００５５】
第１端子群４０と接地部６０を連結して一体に成形し、第１端子群４０と接地部６０をハウジング１にインサート成形した後、各連結部７２を切除するようにしたので、接地部６０の加工およびハウジング１への組付けを、第１端子群４０の加工およびハウジング１への組付けと同じ工程で行なうことができる。したがって、接地部６０を効率良くハウジング１に設けることができる。
【００５６】
また、隣接する端子４１同士を連結する端子間連結部７３を成形し、第１端子群４０をハウジング１にインサート成形した後に、端子間連結部７３を切除するようにしたので、各端子４１を正確に位置決めした状態で、第１端子群４０をハウジング１にインサート成形することができる。したがって、第１端子群４０の精度の高い組付けを実現できる。
【００５７】
また、ハウジング１に設けられた貫通孔２ａにポンチ等の工具を挿入するので、その工具の位置決めを容易に行なうことができ、したがって、精度よく端間連結部７３を切除することができる。
【００５８】
また、第１端子群４０、接地部６０、接続部６１および第２端子群５０を枠部７１に連結したので、枠部７１をハウジング１に対して位置決めすることによって、第１端子群４０、接地部６０、接続部６１および第２端子群５０をハウジング１に対して容易に位置決めすることができる。したがって、第１端子群４０、第１端子群４０、接地部６０、接続部６１および第２端子群５０の精度の高い組付けを実現できる。
【００５９】
また、第１端子群４０を、接地部６０を介してフープ材に成形される枠部７１に連結するようにしたので、第１端子群４０を枠部７１に連結する連結部として接地部６０を機能させることができ、第１端子群４０をハウジング１にインサート成形した後の、枠部７１と第１端子群４０との切断個所が少なく済み、したがって、第１端子群４０を効率よく設けることができる。
【００６０】
また、接地部６０と接続部６１を一体に成形したので、接地部６０と接続部６１を同じ工程で加工しハウジング１に組付けることができる。したがって、接続部６１を効率よく設けることができる。
【００６１】
なお、上記カード用コネクタの製造方法の一実施形態は、上部カバー２の切欠き２ｂによって作業空間５が形成されたカード用コネクタ７に適用したものだが、本発明のカード用コネクタの製造方法はこれに限るものではない。すなわち、作業空間を形成するために意図的に切欠き等を設けたものでなくても、連結部７２の切除作業を行なうのに充分な空間が形成されたカード用コネクタであれば適用できる。
【００６２】
また、上記カード用コネクタの製造方法の一実施形態は、上部カバー２に貫通孔２ａが設けられたカード用コネクタ７に適用したものだが、本発明のカード用コネクタの製造方法はこれに限るものではない。すなわち、ポンチ等の工具を使用する作業空間を形成するために意図的に貫通孔等を設けたものでなくても、端子間連結部７３の切除作業を行なうのに充分な空間が形成されているカード用コネクタであれば適用できる。
【００６３】
また、上記カード用コネクタの製造方法の一実施形態では、隣接する第１端子４１同士を連結する端子間連結部７３をポンチ等の工具で打ち抜く工程Ｓ６を行なったが、本発明のカード用コネクタの製造方法はこれに限るものではない。すなわち、端子が短く位置ずれの虞がない場合には端子間連結部７３は必要なく、この場合には、工程Ｓ６を行なう必要はない。
【００６４】
また、上記カード用コネクタの製造方法の一実施形態は、第１端子群４０および第２端子群５０を備えるカード用コネクタ７に適用したものだが、本発明のカード用コネクタの製造方法はこれに限るものではない。すなわち、半田付部がカード挿入口側を向くように配列された複数の端子からなる端子群と、カード挿入口付近に配置される接地部を備えるカード用コネクタであれば適用できる。
【００６５】
【発明の効果】
以上に述べたように、本発明のカード用コネクタの製造方法では、端子群の半田付部側に接地部を連結して端子群と接地部の一体品を成形し、この一体品をハウジングにインサート成形した後に、端子群と接地部とを連結する連結部を切除するようにしたので、接地部の加工およびハウジングへの組付けを、端子群の加工およびハウジングへの組付けと同じ工程で行なうことができる。したがって、接地部を効率良くハウジングに設けることができる。
【００６６】
また、上記カード用コネクタの製造方法の発明において、前記一体品をフープ材に成形する前記工程では、前記端子群を構成する端子の位置ずれを防止するために隣接する端子同士を連結する端子間連結部を成形し、前記インサート成形の後に、前記端子間連結部を切除する工程を行なうようにすれば、端子の位置を端子間連結部によって正確に位置決めした状態で、端子群をハウジングにインサート成形することができる。したがって、端子群の精度の高い組付けを実現できる。
【００６７】
また、上記カード用コネクタの製造方法の発明において、前記端子間連結部を切除する前記工程では、前記ハウジングの前記端子間連結部に対応する位置に設けられた貫通孔を利用して、前記端子間連結部を切除するようにすれば、端子間連結部を切除する際に、端子間連結部に対するポンチ等の工具の位置決めを容易に行なうことができる。したがって、精度よく端間連結部を切除することができる。
【００６８】
また、上記カード用コネクタの製造方法の発明において、前記一体品をフープ材に成形する前記工程では、前記端子群を、前記接地部を介して前記フープ材に成形される枠部に連結するようにすれば、端子群を枠部に連結する連結部として接地部を機能させることができるので、端子群をハウジングにインサート成形した後の、枠部と端子群との切断個所が少なく済み、したがって、端子群を効率よく設けることができる。
【００６９】
また、上記カード用コネクタの製造方法の発明において、前記一体品をフープ材に成形する前記工程では、前記接地部を回路基板のグランドに接続するための接続部を、前記フープ材に前記接地部と一体成形するようにすれば、接地部と接続部を同じ工程で加工してハウジングに組付けることができる。したがって、効率よく接続部を設けることができる。
【００７０】
また、本発明のカード用コネクタでは、端子群と接地部との一体品をハウジングにインサート成形した後、端子群と接地部とを連結する連結部を切除する際に、ハウジングの作業空間において連結部の切除作業を行なうことができるので、連結部の切除作業を円滑に行なうことができる。したがって、本発明のカード用コネクタは、上記カード用コネクタの製造方法により製造するのに適している。
【００７１】
また、上記カード用コネクタの発明において、前記端子群および前記接地部を加工して前記ハウジングに組付ける際に、前記一体品をフープ材に成形する前記工程では、前記端子群を構成する前記端子の位置ずれを防止するために隣接する端子同士を連結する端子間連結部を成形し、前記インサート成形の後に前記端子間連結部を切除する工程を行なうとともに、前記ハウジングに、前記端子間連結部を切除する前記工程を行なうための作業空間を設けるようにすれば、端子群と接地部との一体品をハウジングにインサート成形した後、端子間連結部を切除する際に、ハウジングの作業空間において端子間連結部の切除作業を行なうことができるので、端子間連結部の切除作業を円滑に行なうことができる。したがって、本発明のカード用コネクタは、上記カード用コネクタの製造方法により製造するのに適している。
【００７２】
また、上記カード用コネクタの発明において、前記作業空間が、前記端子間連結部に対応する位置に設けられる貫通孔からなるようにすれば、端子間連結部を切除する際に、端子間連結部に対するポンチ等の工具の位置決めを容易に行なうことができる。したがって、このカード用コネクタの発明は、上記カード用コネクタの製造方法により製造するのに適している。
【００７３】
また、上記カード用コネクタの発明において、前記接地部に、この接地部を回路基板のグランドに接続するための接続部を一体に設けるようにすれば、接続部と接地部とをフープ材に一体成形することができる。したがって、このカード用コネクタの発明は、上記カード用コネクタの製造方法により製造するのに適している。
【図面の簡単な説明】
【図１】本発明のカード用コネクタの一実施形態を示す平面図である。
【図２】図１に示す実施形態に備えられる第１端子群、第２端子群、接地部、接続部および検出スイッチを加工してハウジングに組み付ける際の作業工程を示すフローチャートである。
【図３】図２に示す作業工程において第１端子群、第２端子群、接地部、接続部および検出スイッチの一体品をフープ材から打ち抜いたものを示す平面図である。
【図４】図３に示す一体品をハウジングにインサート成形したものを示す平面図である。
【符号の説明】
１  ハウジング
２  上部カバー
２ａ  貫通孔
２ｂ  切欠き
５  作業空間
４０  第１端子群
４１  第１端子
４１ｂ  半田付部
５０  第２端子群
５１  第２端子
５１ｂ  半田付部
６０  接地部
６１  接続部
７０  一体品
７２  連結部
７３  端子間連結部
【図１】
0003943984.tif 000002
【図２】
0003943984.tif 000003
【図３】
0003943984.tif 000004
【図４】
0003943984.tif 000005